(57)【要約】【課題】増加されたデータレートで書込みが可能な磁気ヘッドを提供する。【解決手段】特定の実施形態に従えば、磁気ヘッド１００はコイル１０２を有し、コイル１０２は、ヨーク１０６と空気軸受面との間に位置付けられたリードコイルターンを有する。特定の実施形態においては、磁気ヘッド１００はコイル１０２を含み、そのコイル１０２は、メイン書込極１１２から最小限の間隔があけられたリードコイルターンを有する。【選択図】図１
2013016245.tif 000002
【特許請求の範囲】
【請求項１】
ヨークと空気軸受面との間に位置付けられたリードコイルターン（lead coil turn）を有するコイルを備えた、磁気ヘッド。
【請求項２】
前記リードコイルターンは、メイン書込極に隣接してさらに位置付けられる、請求項１に記載の磁気ヘッド。
【請求項３】
前記リードコイルターンは、浸食を防止するために密閉される、請求項２に記載の磁気ヘッド。
【請求項４】
前記ヨークの周りに、らせん状に巻回された複数のコイルをさらに備える、請求項１に記載の磁気ヘッド。
【請求項５】
前記ヨークの周りに、単一パンケーキ設計で巻回された複数のコイルをさらに備える、請求項１に記載の磁気ヘッド。
【請求項６】
前記ヨークの周りに、二重パンケーキ設計で巻回された複数のコイルをさらに備える、請求項１に記載の磁気ヘッド。
【請求項７】
近接場変換器と、
導波管被覆によって囲まれた導波管コアとをさらに備える、請求項１に記載の磁気ヘッド。
【請求項８】
前記近接場変換器は、メイン書込極に接する、請求項７に記載の磁気ヘッド。
【請求項９】
前記リードコイルターンは、メイン書込極から最小限の間隔があけられる、請求項１に記載の磁気ヘッド。
【請求項１０】
前記メイン書込極は傾斜している、請求項９に記載の磁気ヘッド。
【請求項１１】
前記リードコイルターンは、前記ヨークの任意の部分よりも、前記空気軸受面に近く位置付けられる、請求項１に記載の磁気ヘッド。
【請求項１２】
メイン書込極から最小限の間隔があけられたリードコイルターンを有するコイルを備えた、磁気ヘッド。
【請求項１３】
前記メイン書込極は傾斜している、請求項１２に記載の磁気ヘッド。
【請求項１４】
近接場変換器と、
導波管被覆によって囲まれた導波管コアとをさらに備える、請求項１２に記載の磁気ヘッド。
【請求項１５】
前記リードコイルターンは、空気軸受面に位置付けられる、請求項１４に記載の磁気ヘッド。
【請求項１６】
前記近接場変換器は、前記メイン書込極に接する、請求項１４に記載の磁気ヘッド。
【請求項１７】
ヨークの周りに、らせん状に巻回された複数のコイルをさらに備える、請求項１４に記載の磁気ヘッド。
【請求項１８】
ヨークの周りに、単一パンケーキ設計で巻回された複数のコイルをさらに備える、請求項１４に記載の磁気ヘッド。
【請求項１９】
前記リードコイルターンは、浸食を防止するために密閉される、請求項１４に記載の磁気ヘッド。
【請求項２０】
空気軸受面を有する前面シールドをさらに備える、請求項１４に記載の磁気ヘッド。
【発明の詳細な説明】
【技術分野】
【０００１】
本発明の特定の実施形態は、概して、磁気ヘッドに関する。
【背景技術】
【０００２】
関連出願
本出願は、２０１０年１１月２４日に出願され、「磁気ヘッドにおいてデータレートを増加するための装置（An Apparatus For Increasing Data Rate IN A Magnetic Head）」と題された米国仮特許出願番号６１／４１６，８５２号に関連し、米国法典１１９条（ｅ）の下での優先権を主張し、その出願は、本明細書中における参照によって、その全体が引用される。
【０００３】
当業者によって理解されるように、記憶装置には、読出部および書込部を有する磁気ヘッドが備えられ得る。書込部は、記録可能媒体に磁場を供給することによって、記録可能媒体に書込む。磁場は、書込部から読出部への磁束帰還経路として機能する。データを書込媒体に書込むために、磁気ヘッド内の導電コイルに電流が流される。コイル電流は、書込極にわたって磁場を誘導する。コイルを流れる電流の極性を反転させることによって、書込媒体へ書込まれるデータ極性も反転される。読出部は、記録可能媒体上の隣接する反対方向の磁化領域間またはドット間の磁気遷移を検出し得る。面積密度が増加するにつれて、磁気ヘッドが書込む速度を増加することが求められる。
【発明の概要】
【発明が解決しようとする課題】
【０００４】
概要
本発明の特定の実施形態は、概して、磁気ヘッドに関する。磁気記憶装置における面積密度が増加し続けているので、増加したデータレートで書込みが可能な磁気ヘッドについての必要性がある。
【課題を解決するための手段】
【０００５】
特定の実施形態に従えば、磁気ヘッドはコイルを有し、そのコイルは、ヨークと空気軸受面との間に位置付けられるリードコイルターン（lead coil turn）を有する。特定の実施形態においては、磁気ヘッドはコイルを有し、そのコイルは、メイン書込極から最小限の間隔があけられたリードコイルターンを有する。
【０００６】
本発明のさまざまな実施形態を特徴付けるこれらのおよび他の特徴および局面は、以下の詳細な議論および添付の図面に照らして理解され得る。
【図面の簡単な説明】
【０００７】
【図１】本発明のさまざまな実施形態に従う磁気ヘッドを示す第１の図である。
【図２】本発明のさまざまな実施形態に従う磁気ヘッドを示す第２の図である。
【図３】本発明のさまざまな実施形態に従う磁気ヘッドを示す第３の図である。
【図４】本発明のさまざまな実施形態に従う磁気ヘッドを示す第４の図である。
【発明を実施するための形態】
【０００８】
詳細な説明
当業者によって理解されるように、記憶装置には、読出部および書込部を有する磁気ヘッドが備えられ得る。書込部は、記録可能媒体に磁場を供給することによって、記録可能媒体に書込む。磁場は、書込部から読出部への磁束帰還経路として機能する。データを書込媒体に書込むために、磁気ヘッド内の導電コイルに電流が流される。コイル電流は、書込極にわたって磁場を誘導する。コイルを流れる電流の極性を反転させることによって、書込媒体へ書込まれるデータ極性も反転される。読出部は、記録可能媒体上の隣接する反対方向の磁化領域間またはドット間の磁気遷移を検出し得る。面積密度が増加するにつれて、磁気ヘッドが書込む速度を増加することが求められる。
【０００９】
面積密度を増加させるために利用されるいくつかの技術は、熱支援磁気記録（Heat Assisted Magnetic Recording：ＨＡＭＲ）、ビットパターンメディア（ＢＰＭ）、瓦磁気記録（Shingled Magnetic Recording：ＳＭＲ）、およびディスクリートトラックレコーディング（Discrete Track Recording：ＤＴＲ）を含む。当業者には認識されるように、ＨＡＭＲを利用する記憶装置には、−たとえば、レーザダイオード、近接場変換器（Near Field Transducer：ＮＦＴ）、導波管および回折格子のような−光学素子が設けられ、それらは、共に、記録媒体の温度を上昇させるための熱源を供給するように構成される。いくつかの光学素子は磁気ヘッド上に構成され、動作中に、磁気ヘッドが記録媒体へデータを記録するための磁場を生成している間に、その光学素子が記録媒体を加熱するための光源または熱源を供給するようにされ得る。
【００１０】
磁気ヘッドがデータを記録するときの速度を増加する１つの方法は、磁気ヘッドの立上がり時間（rise time）を低減することである。ここで、磁気ヘッドの立上がり時間とは、ヘッドのコイルへの電圧印加後、磁気ヘッドの磁場が予め定められたしきい値に到達するのにかかる時間である。メイン書込極により近接して−書込極へ磁場を誘導する−コイルを配置することは、電流がメイン書込極まで伝達し、予め定められたしきい値に到達するまでの時間を低減する。それによって、立上がり時間が低減される。より具体的には、メイン書込極に近接してリードコイルまたは一組のリードコイルを配置することで、磁気ヘッドがデータを書込む速度を増加させることができる。
【００１１】
例示的な実施形態に従って、図１は、リードコイル１０２と、コイル１０４と、ヨーク１０６と、帰還極（return pole）１０８と、後面ビア（back via）１１０と、メイン書込極１１２と、光学部１１４とを有する磁気ヘッド１００の部分図を示す。磁気ヘッド１００は、記録媒体１２４に面する空気軸受面を有するスライダ（図示せず）上に搭載される。磁気ヘッド１００の端部１１６は、たとえば、空気軸受面に位置付けられるか、あるいは空気軸受面から引っ込んだ位置に位置付けられ得る。リードコイル１０２およびコイル１０４は、ヨーク１０６、帰還極１０８、後面ビア１１０、およびメイン書込極１１２を通る磁気経路を生成する磁場を提供する。メイン書込極１１２は、記録媒体を磁化するための磁束を漏洩させ、記録／書込みを実行する。メイン書込極１１２は、限定されないが、傾斜した書込器設計として示される。図１の想像線（phantom line）は、代替的なメイン書込極の形状を示す。
【００１２】
リードコイル１０２−または、複数のリードコイルの各々−は、空気軸受面とヨーク１０６との間に位置付けられ得るリードコイルターンを有する。リードコイルは、リードコイルターンがメイン書込極１１２に隣接して位置付けられることを可能とする。そして、これは、リードコイル１０２が、磁場をメイン書込極１１２に迅速に供給することを可能とし、１ナノ秒よりも短い立上がり時間をもたらす。リードコイルターンは、メイン書込極１１２とリードコイル１０２間の電気的短絡を生成するような望ましくない効果の危険にさらすことなく、メイン書込極１１２から最小限の間隔があけられる。図１には示されていないが、メイン書込極１１２は、ヒートシンク材料で取り囲まれ得る。磁気ヘッド１００に用いられる磁気材料は、当該技術分野において認識されている材料を含み得るが、たとえば、限定はされないが、多くの量のＣｏ、ＮｉまたはＦｅを有する任意の合金を含む。図１に示されるように、リードコイル１０２は、空気軸受面と空気軸受面に再接近したヨーク１０６の側面との間に、ヨーク１０６にいかなる部分もリードコイル１０２よりも空気軸受面に近くならないように位置付けられる。簡単に言うと、リードコイルターンは、ヨーク１０６のいかなる部分よりも空気軸受面に近い。
【００１３】
さらに、リードコイルターンは、空気軸受面から最小限に間隔があけられ得る。空気軸受面にまたはそれに近接して、動作中に、リードコイル１０２はさらに露出され、記録媒体１２４および粒子（particle）によって影響を受け、それはリードコイル性能に悪影響を与える。たとえば、いくつかのリードコイル材料の性能は、記録媒体１２４との相互作用によって引き起こされる浸食のために低下し得る。したがって、リードコイル１０２は、埋め込み、密閉、薄膜コーティングの提供、または本技術分野において認識された他の方法によって浸食から保護され、それによって、リードコイル１０２が、記録媒体１２４からの悪影響が低減された状態または無視できる状態で、空気軸受面に近接して、および／または、メイン書込極１１２に近接して位置付けられるようにする。そして、それによって、リードコイル１０２およびメイン書込極１１２が増加されたデータレートを提供するように構成することを可能にする。
【００１４】
図１に示されるように、コイル１０４は、らせん状のコイル設計で構成される。つまり、コイル１０４は、ヨーク１０６の周りにらせん状に巻回される。このおよび他の実施形態におけるコイルターンの数は例示的に過ぎず、ヘッド設計の仕様に依存する。たとえば、より多くのコイルターンは、より大きな磁場の生成をもたらすが、より大きなインダクタンスおよび抵抗ももたらす。より短いヨーク長さは、より少ないコイルターンを許容するが、立上がり時間もまた減少する。以下の実施形態において示されるように、コイルは多くの設計で構成され得、限定されないが、らせん状設計、単一のパンケーキ設計、二重のパンケーキ設計として示される。いくつかのコイル設計は、ヘッドの残余の設計および構成（たとえば、ヨークの形状、メイン書込極の形状、帰還極の形状、光学素子の形状）に基づいて、より複雑でかつ製造がより困難であるかもしれない。
【００１５】
図１に示されるように、光学部１１４は、近接場変換器（ＮＦＴ）１１８と、導波管コア１２０と、コア１２０を取り囲む導波管被覆１２２とを含む。図１は、メイン書込極１１２から間隔があけられたＮＦＴ１１８を示しているが、ＮＦＴ１１８は、メイン書込極１１２に接するように位置付けることもできる。導波管は、たとえば、限定されないが、ＴｉＯ2、Ｔａ2Ｏ5、Ｓｉ、ＳｉＮ、ＺｎＳ、ＳｉＯ2、およびＡｌ2Ｏ3を含む、本技術分野において認識される材料を含み得る。
【００１６】
例示的な実施形態に従って、図２は、リードコイル２０２と、コイル２０４と、ヨーク２０６と、帰還極２０８と、後面台（back pedestal）２１０と、メイン書込極２１２と、前面シールド２１４と、光学部２１６とを有する磁気ヘッド２００の部分図を示す。光学部２１６は、ＮＦＴ２１８と、導波管コア２２０と、被覆２２２とを含む。リードコイル２０２は、空気軸受面、または、空気軸受面とヨーク２０６との間に位置付けられ得るリードコイルターンを有する。リードコイルターンは、メイン書込極２１２に隣接して位置付けられ得、それによって、メイン書込極２１２に磁場を迅速に提供する。図２に示されるように、コイル２０４は、単一層の平面らせん（単一パンケーキ）コイル設計で構成され、磁気ヘッド２００の側面および後面に一組のコイルターンを位置付ける。
【００１７】
前面シールド２１４は、磁気ヘッド２００の端部に位置付けられ、低リラクタンス経路を生成し、メイン書込極２１２における磁場を増加する。光学部２１６に対する前面シールド２１４の位置は、前面シールド２１４の厚さによって影響を受ける。たとえば、前面シールド２１４が厚くなればなるほど、前面シールド２１４はより多くの光学エネルギを吸収し、それによって、熱支援磁気ヘッドの光学効果を低減させる。しかしながら、前面シールド２１４は、メイン書込極２１２に近接して位置付けられると、より効果的である（たとえば、メイン書込極２１２における磁場を増加させる前面シールドの能力）。したがって、前面シールド２１４の位置および厚さを決定することは、光学効率の低下と磁気効果の増加との間のバランスである。
【００１８】
例示的な実施形態に従って、図３は、リードコイル３０２と、コイル３０４と、ヨーク３０６と、帰還極３０８と、後面台３１０と、メイン書込極３１２と、前面シールド３１４と、光学部３１６とを有する磁気ヘッド３００の部分図を示す。光学部３１６は、ＮＦＴ３１８と、コア３２０と、被覆３２２とを含む。リードコイル３０２は、空気軸受面、または、空気軸受面とヨーク３０６との間に位置付けられ得るリードコイルターンを有する。リードコイルターンは、メイン書込極３１２に隣接して位置付けられ得、それによって、メイン書込極３１２に磁場を迅速に提供する。図３に示されるように、コイル３０４は、二重層の平面らせん（二重パンケーキ）コイル設計で構成され、磁気ヘッド３００の側面および後面に二組のコイルターンを位置付ける。前面シールド３１４は、磁気ヘッド３００の端部に位置付けられ、低リラクタンス経路を生成し、メイン書込極３１２における磁場を増加する。
【００１９】
例示的な実施形態に従って、図４は、リードコイル４０２と、コイル４０４と、ヨーク４０６と、帰還極４０８と、後面台４１０と、メイン書込極４１２とを有する磁気ヘッド４００の部分図を示す。リードコイル４０２は、空気軸受面、または、空気軸受面とヨーク４０６との間に位置付けられ得るリードコイルターンを有する。リードコイルターンは、メイン書込極４１２に隣接して位置付けられ得、それによって、メイン書込極４１２に磁場を迅速に提供する。図４に示されるように、コイル４０４は、単一層の平面らせん（単一パンケーキ）コイル設計で構成される。磁気ヘッド４００は、任意的に、前面シールド（図示せず）を含み得る。
【００２０】
本発明のさまざまな実施形態の多くの特徴および利点が、本発明のさまざまな実施形態の構造および機能の詳細とともに上記の説明に記載されたが、この詳細な説明は例示に過ぎず、詳細において、特に本発明の原理の範囲における構造、配置、および部品数の点において、添付の特許請求の範囲で表現される用語の広範な一般的な意味によって示されるすべての範囲について変形がなされてもよい。たとえば、コイルは光学素子のいずれかの側に位置付けられてもよいし、コイルは本技術分野において知られているさまざまなコイル設計で構成されてもよい。さらに、リードコイルの数は、１より大きくすることができる。
【符号の説明】
【００２１】
１００，２００，３００，４００  磁気ヘッド、１０２，２０２，３０２，４０２  リードコイル、１０４，２０４，３０４，４０４  コイル、１０６，２０６，３０６，４０６  ヨーク、１０８，２０８，３０８，４０８  帰還極、１１０  後面ビア、１１２，２１２，３１２，４１２  メイン書込極、１１４，２１６，３１６  光学部、１１６  端部、１２０  コア、１２２，２２２，３２２  被覆、１２４  記録媒体、２１４，３１４  前面シールド、２１０，３１０，４１０  後面台。
【図１】
2013016245.tif 000003
【図２】
2013016245.tif 000004
【図３】
2013016245.tif 000005
【図４】
2013016245.tif 000006
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
ヨークと空気軸受面との間に位置付けられたリードコイルターン（lead coil turn）を有するコイルを備えた、磁気ヘッド。
【請求項２】
前記リードコイルターンは、メイン書込極に隣接してさらに位置付けられる、請求項１に記載の磁気ヘッド。
【請求項３】
前記リードコイルターンは、浸食を防止するために密閉される、請求項２に記載の磁気ヘッド。
【請求項４】
前記ヨークの周りに、らせん状に巻回された複数のコイルをさらに備える、請求項１に記載の磁気ヘッド。
【請求項５】
前記ヨークの周りに、単一パンケーキ設計で巻回された複数のコイルをさらに備える、請求項１に記載の磁気ヘッド。
【請求項６】
前記ヨークの周りに、二重パンケーキ設計で巻回された複数のコイルをさらに備える、請求項１に記載の磁気ヘッド。
【請求項７】
近接場変換器と、
導波管被覆によって囲まれた導波管コアとをさらに備える、請求項１に記載の磁気ヘッド。
【請求項８】
前記近接場変換器は、メイン書込極に接する、請求項７に記載の磁気ヘッド。
【請求項９】
前記リードコイルターンは、メイン書込極から最小限の間隔があけられる、請求項１に記載の磁気ヘッド。
【請求項１０】
前記メイン書込極は傾斜している、請求項９に記載の磁気ヘッド。
【請求項１１】
前記リードコイルターンは、前記ヨークの任意の部分よりも、前記空気軸受面に近く位置付けられる、請求項１に記載の磁気ヘッド。
【請求項１２】
メイン書込極から最小限の間隔があけられたリードコイルターンを有するコイルを備えた、磁気ヘッド。
【請求項１３】
前記リードコイルターンは、空気軸受面に位置付けられる、請求項１２に記載の磁気ヘッド。
【請求項１４】
空気軸受面を有する前面シールドをさらに備える、請求項１２に記載の磁気ヘッド。